(57)【特許請求の範囲】
【請求項１】
車両のブレーキの操作を検出するブレーキ操作検出部と、
前記車両の操舵部への手の接触を検出する接触検出部と、
認証情報を有する携帯機と無線通信を行い、前記携帯機の認証を行う認証部と、
前記車両の電源の供給及び前記車両の原動機の駆動を制御する制御部と
を備え、
前記制御部は、前記携帯機の認証が成功し、かつ、前記ブレーキの操作が検出され、かつ、前記操舵部の少なくとも２ヶ所への手の接触が規定時間以上検出された場合に、前記車両の所定の負荷への電源の供給を開始し、前記原動機を始動するように制御する
車両制御装置。
【請求項２】
前記認証部は、前記負荷への電源の供給及び前記原動機が停止した状態で、前記操舵部への手の接触が検出された場合に、前記携帯機の認証を行い、
前記制御部は、
前記携帯機の認証が成功した状態で、前記操舵部の少なくとも２ヶ所への手の接触が規定時間以上検出され、かつ、前記ブレーキの操作が検出された場合に、前記負荷への電源の供給を開始し、前記原動機を始動するように制御し、
前記携帯機の認証が成功した状態で、前記操舵部の少なくとも２ヶ所への手の接触が規定時間以上検出され、かつ、前記ブレーキの操作が検出されない場合に、前記原動機を始動せずに、前記負荷の少なくとも一部への電源の供給を開始するように制御し、その後、前記操舵部の少なくとも２ヶ所への手の接触が継続して検出されている状態で、前記ブレーキの操作が検出されたとき、前記原動機を始動するように制御する
請求項１に記載の車両制御装置。
【請求項３】
前記認証部は、前記負荷の少なくとも一部への電源の供給を開始するように制御された後、前記操舵部の少なくとも２ヶ所への手の接触が継続して検出されている状態で、前記ブレーキの操作が検出されたとき、前記携帯機の認証を行い、
前記制御部は、前記携帯機の認証が成功した場合、前記原動機を始動するように制御する
請求項２に記載の車両制御装置。
【請求項４】
前記認証部は、前記負荷への電源の供給及び前記原動機が停止した状態で、前記ブレーキの操作が検出された場合に、前記携帯機の認証を行い、
前記制御部は、
前記携帯機の認証が成功し、かつ、前記ブレーキの操作が検出された状態で、前記操舵部の少なくとも２ヶ所への手の接触が規定時間以上検出された場合に、前記負荷への電源の供給を開始し、前記原動機を始動するように制御する
請求項１に記載の車両制御装置。
【請求項５】
前記認証部は、前記負荷への電源の供給及び前記原動機が停止した状態で前記操舵部の少なくとも２ヶ所への手の接触が規定時間以上検出された場合に、前記携帯機の認証を行い、
前記制御部は、
前記携帯機の認証が成功した状態で、前記ブレーキの操作が検出された場合、前記負荷への電源の供給を開始し、前記原動機を始動するように制御し、
前記携帯機の認証が成功した状態で、前記ブレーキの操作が検出されない場合に、前記原動機を始動せずに、前記負荷の少なくとも一部への電源の供給を開始するように制御し、その後、前記操舵部の少なくとも２ヶ所への手の接触が継続して検出されている状態で、前記ブレーキの操作が検出されたとき、前記原動機を始動するように制御する
請求項１に記載の車両制御装置。
【請求項６】
前記認証部は、前記負荷の少なくとも一部への電源の供給を開始するように制御された後、前記操舵部の少なくとも２ヶ所への手の接触が継続して検出されている状態で、前記ブレーキの操作が検出されたとき、前記携帯機の認証を行い、
前記制御部は、前記携帯機の認証が成功した場合、前記原動機を始動するように制御する
請求項５に記載の車両制御装置。
【請求項７】
前記認証部は、前記負荷への電源の供給及び前記原動機が停止した状態で、前記ブレーキの操作が検出され、かつ、前記操舵部の少なくとも２ヶ所への手の接触が規定時間以上検出された場合に、前記携帯機の認証を行い、
前記制御部は、前記携帯機の認証が成功した場合に、前記負荷への電源の供給を開始し、前記原動機を始動するように制御する
請求項１に記載の車両制御装置。
【請求項８】
前記原動機の始動及び停止の操作が可能な押しボタン式の操作部をさらに備え、
前記制御部は、前記携帯機の認証が成功し、前記ブレーキの操作が検出され、かつ、前記操舵部の１ヶ所への手の接触が規定時間以上検出された場合に、前記接触検出部の異常であると判定し、前記操作部への操作をユーザへ促す
請求項１乃至７のいずれかに記載の車両制御装置。
【請求項９】
車両のブレーキの操作を検出するブレーキ操作検出ステップと、
前記車両の操舵部への手の接触を検出する接触検出ステップと、
認証情報を有する携帯機と無線通信を行い、前記携帯機の認証を行う認証ステップと、
前記携帯機の認証が成功し、かつ、前記ブレーキの操作が検出され、かつ、前記操舵部の少なくとも２ヶ所への手の接触が規定時間以上検出された場合に、前記車両の所定の負荷への電源の供給を開始し、前記車両の原動機を始動するように制御する始動制御ステップと
を含む車両制御方法。
【発明の詳細な説明】
【技術分野】
【０００１】
本発明は、車両制御装置及び車両制御方法に関し、特に、車両の始動制御に用いて好適な車両制御装置及び車両制御方法に関する。
【背景技術】
【０００２】
従来、車両のエンジンの始動時の操作性や安全性を向上させる技術が開示されている。例えば、ブレーキペダルを踏み込んだ状態で車両の起動スイッチを押下した場合に、車両用の携帯機の認証を行い、認証が成功したとき、アクセサリ電源及びイグニッションをオンする駆動状態に遷移させる技術が開示されている（例えば、特許文献１参照）。
【０００３】
また、特許文献１には、ブレーキペダルを踏み込まない状態で車両の起動スイッチを押下した場合に、携帯機の認証を行い、認証が成功したとき、アクセサリ電源をオンする中間駆動状態に遷移させることが示されている。そして、中間駆動状態において、ブレーキペダルを踏み込んだ状態で車両の起動スイッチを押下した場合に、携帯機の認証を行い、認証が成功したとき、駆動状態に遷移させることが示されている。また、中間駆動状態において、ブレーキペダルを踏み込まなくても、車両の起動スイッチを規定時間以上押下した場合に、携帯機の認証を行い、認証が成功したとき、駆動状態に遷移させることが示されている。
【０００４】
また、車両用の携帯機の認証が成功し、シフトポジションがパーキング又はニュートラルに設定され、ブレーキペダルが踏み込まれた状態で、ステアリングホイールの左右の２ヶ所にあるシフトスイッチを押下したときに、エンジンを始動する技術が開示されている（例えば、特許文献２参照）。
【０００５】
さらに、車両用の携帯機の認証が成功し、ブレーキペダルが踏み込まれ、エンジンスイッチが押下された後、ステアリングホイールのスポーク部に設けられている一対のパドルスイッチを用いて入力されたパスワードの照合が成立した場合に、エンジンを始動する技術が開示されている（例えば、特許文献３参照）。
【０００６】
以上のように、特許文献１乃至３のいずれに記載の発明においても、エンジンを始動させるために所定のスイッチ等の操作を行うようになっている。
【０００７】
また、従来、ステアリングホイールに設けたセンサによりユーザの手が接触したことを検出した場合、ユーザの手のひらの静脈認証を行うことが提案されている（例えば、特許文献４参照）。
【先行技術文献】
【特許文献】
【０００８】
【特許文献１】特開２００３−３０１７６４号公報
【特許文献２】特開２００１−２８９１４２号公報
【特許文献３】特開２００９−２０２６７１号公報
【特許文献４】特開２００３−１３７０７３号公報
【発明の概要】
【発明が解決しようとする課題】
【０００９】
そこで、本発明は、運転者が運転開始時の自然な動作を行う（自然な姿勢を取る）だけで、車両のエンジン等の原動機を始動させることができ、安全性を確保しつつ、操作性を向上させるようにするものである。
【課題を解決するための手段】
【００１０】
本発明の一側面の車両制御装置は、車両のブレーキの操作を検出するブレーキ操作検出部と、車両の操舵部への手の接触を検出する接触検出部と、認証情報を有する携帯機と無線通信を行い、携帯機の認証を行う認証部と、車両の電源の供給及び車両の原動機の駆動を制御する制御部とを備え、制御部は、携帯機の認証が成功し、かつ、ブレーキの操作が検出され、かつ、操舵部の少なくとも２ヶ所への手の接触が規定時間以上検出された場合に、車両の所定の負荷への電源の供給を開始し、原動機を始動するように制御する。
【００１１】
本発明の一側面の車両制御装置においては、車両のブレーキの操作が検出され、車両の操舵部への手の接触が検出され、認証情報を有する携帯機と無線通信が行われ、携帯機の認証が行われ、携帯機の認証が成功し、かつ、ブレーキの操作が検出され、かつ、操舵部の少なくとも２ヶ所への手の接触が規定時間以上検出された場合に、車両の所定の負荷への電源の供給が開始され、原動機が始動する。
【００１２】
従って、運転者が運転開始時の自然な動作を行う（自然な姿勢を取る）だけで、車両の原動機を始動させることができ、安全性を確保しつつ、操作性を向上させることができる。
【００１３】
この車両は、例えば、乗用車、バス、トラック等の自動車、原動機付きの二輪車や三輪車等である。この操舵部は、例えば、四輪車のステアリングホイール、二輪車のハンドルバー（グリップ）等である。この携帯機は、例えば、車両用のドアの施解錠やエンジン始動を行うためのキーフォブ（Key FOB）や車両のドアの施解錠やエンジンの始動の制御を行えるように登録された携帯電話機等である。この原動機は、例えば、エンジンやモータ等である。このブレーキ操作検出部、接触検出部、認証部、制御部は、例えば、ECU（Electronic Control Unit）により構成される。
【００１４】
この認証部には、負荷への電源の供給及び原動機が停止した状態で、操舵部への手の接触が検出された場合に、携帯機の認証を行わせ、この制御部には、携帯機の認証が成功した状態で、操舵部の少なくとも２ヶ所への手の接触が規定時間以上検出され、かつ、ブレーキの操作が検出された場合に、負荷への電源の供給を開始し、原動機を始動するように制御させ、携帯機の認証が成功した状態で、操舵部の少なくとも２ヶ所への手の接触が規定時間以上検出され、かつ、ブレーキの操作が検出されない場合に、原動機を始動せずに、負荷の少なくとも一部への電源の供給を開始するように制御させ、その後、操舵部の少なくとも２ヶ所への手の接触が継続して検出されている状態で、ブレーキの操作が検出されたとき、原動機を始動するように制御させることができる。
【００１５】
これにより、所定の操作順序で車両を始動できるようにすることができる。また、いったん負荷への電源の供給を開始した後に、原動機を始動することが可能になる。
【００１６】
この認証部には、負荷の少なくとも一部への電源の供給を開始するように制御された後、操舵部の少なくとも２ヶ所への手の接触が継続して検出されている状態で、ブレーキの操作が検出されたとき、携帯機の認証を行わせ、この制御部は、携帯機の認証が成功した場合、原動機を始動するように制御させることができる。
【００１７】
これにより、車両のセキュリティが向上し、盗難等の発生がより発生しにくくなる。
【００１８】
この認証部には、負荷への電源の供給及び原動機が停止した状態で、ブレーキの操作が検出された場合に、携帯機の認証を行わせ、この制御部には、携帯機の認証が成功し、かつ、ブレーキの操作が検出された状態で、操舵部の少なくとも２ヶ所への手の接触が規定時間以上検出された場合に、負荷への電源の供給を開始し、原動機を始動するように制御させることができる。
【００１９】
これにより、所定の操作順序で車両を始動できるようにすることができる。
【００２０】
この認証部には、負荷への電源の供給及び原動機が停止した状態で操舵部の少なくとも２ヶ所への手の接触が規定時間以上検出された場合に、携帯機の認証を行わせ、この制御部は、携帯機の認証が成功した状態で、ブレーキの操作が検出された場合、負荷への電源の供給を開始し、原動機を始動するように制御させ、携帯機の認証が成功した状態で、ブレーキの操作が検出されない場合に、原動機を始動せずに、負荷の少なくとも一部への電源の供給を開始するように制御させ、その後、操舵部の少なくとも２ヶ所への手の接触が継続して検出されている状態で、ブレーキの操作が検出されたとき、原動機を始動するように制御させることができる。
【００２１】
これにより、所定の操作順序で車両を始動できるようにすることができる。また、いったん負荷への電源の供給を開始した後に、原動機を始動することが可能になる。
【００２２】
この認証部には、負荷の少なくとも一部への電源の供給を開始するように制御された後、操舵部の少なくとも２ヶ所への手の接触が継続して検出されている状態で、ブレーキの操作が検出されたとき、携帯機の認証を行わせ、この制御部には、携帯機の認証が成功した場合、原動機を始動するように制御させることができる。
【００２３】
これにより、所定の操作順序で車両を始動できるようにすることができる。
【００２４】
この認証部には、負荷への電源の供給及び原動機が停止した状態で、ブレーキの操作が検出され、かつ、操舵部の少なくとも２ヶ所への手の接触が規定時間以上検出された場合に、携帯機の認証を行わせ、この制御部には、携帯機の認証が成功した場合に、負荷への電源の供給を開始し、原動機を始動するように制御させることができる。
【００２５】
これにより、所定の操作順序で車両を始動できるようにすることができる。
【００２６】
原動機の始動及び停止の操作が可能な押しボタン式の操作部をさらに設け、この制御部には、携帯機の認証が成功し、ブレーキの操作が検出され、かつ、操舵部の１ヶ所への手の接触が規定時間以上検出された場合に、接触検出部の異常であると判定し、操作部への操作をユーザへ促させることができる。
【００２７】
これにより、センサ等の故障により、操舵部への手の接触の検出に異常が発生した場合でも、ユーザが混乱することなく確実に車両の始動を行うことができる。
【００２８】
本発明の一側面の車両制御方法は、車両のブレーキの操作を検出するブレーキ操作検出ステップと、車両の操舵部への手の接触を検出する接触検出ステップと、認証情報を有する携帯機と無線通信を行い、携帯機の認証を行う認証ステップと、携帯機の認証が成功し、かつ、ブレーキの操作が検出され、かつ、操舵部の少なくとも２ヶ所への手の接触が規定時間以上検出された場合に、車両の所定の負荷への電源の供給を開始し、車両の原動機を始動するように制御する始動制御ステップとを含む。
【００２９】
本発明の一側面の車両制御方法においては、車両のブレーキの操作が検出され、車両の操舵部への手の接触が検出され、認証情報を有する携帯機と無線通信が行われ、携帯機の認証が行われ、携帯機の認証が成功し、かつ、ブレーキの操作が検出され、かつ、操舵部の少なくとも２ヶ所への手の接触が規定時間以上検出された場合に、車両の所定の負荷への電源の供給が開始され、車両の原動機が始動する。
【００３０】
従って、運転者が運転開始時の自然な動作を行う（自然な姿勢を取る）だけで、車両の原動機を始動させることができ、安全性を確保しつつ、操作性を向上させることができる。
【００３１】
この車両は、例えば、乗用車、バス、トラック等の自動車、原動機付きの二輪車や三輪車等である。この操舵部は、例えば、四輪車のステアリングホイール、二輪車のハンドルバー（グリップ）等である。この携帯機は、例えば、車両用のドアの施解錠やエンジン始動を行うためのキーフォブ（Key FOB）や車両のドアの施解錠やエンジンの始動の制御を行えるように登録された携帯電話機等である。この原動機は、例えば、エンジンやモータ等である。各ステップの処理は、例えば、ECU（Electronic Control Unit）により実行される。
【発明の効果】
【００３２】
本発明の一側面によれば、運転者が運転開始時の自然な動作を行う（自然な姿勢を取る）だけで、車両のエンジン等の原動機を始動させることができ、安全性を確保しつつ、操作性を向上させることができる。
【図面の簡単な説明】
【００３３】
【図１】本発明を適用した車両制御装置の一実施の形態を示すブロック図である。
【図２】ステアリングホイールのセンサの設置位置の例を示す図である。
【図３】車両始動制御処理の第１の実施の形態を説明するためのフローチャートである。
【図４】プッシュスイッチを用いた場合の車両の状態遷移図の例を示す図である。
【図５】ノブスイッチを用いた場合の車両の状態遷移図の例を示す図である。
【図６】車両始動制御処理の第２の実施の形態を説明するためのフローチャートである。
【図７】車両始動制御処理の第３の実施の形態を説明するためのフローチャートである。
【図８】車両始動制御処理の第４の実施の形態を説明するためのフローチャートである。
【発明を実施するための形態】
【００３４】
以下、本発明を実施するための形態（以下、実施の形態という）について説明する。なお、説明は以下の順序で行う。
１．実施の形態
２．変形例
【００３５】
＜１．実施の形態＞
［車両制御装置１１の構成例］
図１は、本発明を適用した車両制御装置１１の一実施の形態を示すブロック図である。
【００３６】
車両制御装置１１は、図示せぬ車両に設けられ、車両の電源の供給及び車両の原動機の駆動を制御する装置である。
【００３７】
なお、車両制御装置１１が設けられる車両の種類は特に限定されるものではなく、任意の種類の車両に適用することが可能である。また、車両制御装置１１の制御対象となる原動機は、例えば、ガソリン車やディーゼル車等ではエンジンとされ、電気自動車ではモータとされ、ハイブリッドカーではエンジン及びモータとされる。
【００３８】
車両制御装置１１は、例えば、ECU（Electronic Control Unit）により構成され、接触検出部３１、認証部３２、ブレーキ操作検出部３３、シフトポジション検出部３４、電源・駆動操作検出部３５、及び、制御部３６を含む機能を実現する。
【００３９】
接触検出部３１は、車両の操舵部であるステアリングホイールに設けられたセンサ１２Ｌ及び１２Ｒから供給されるセンサデータに基づいて、ステアリングホイールへの接触を検出し、検出結果を制御部３６に供給する。
【００４０】
図２は、センサ１２Ｌ及びセンサ１２Ｒの設置位置の例を示している。センサ１２Ｌ及びセンサ１２Ｒは、ステアリングホイール１０１のリング部の斜線部で示される左右の所定の位置に設けられる。より具体的には、センサ１２Ｌは、運転時に運転者の左手が握ると想定される範囲に設けられ、センサ１２Ｒは、運転時に運転者の右手が握ると想定される範囲に設けられる。
【００４１】
また、センサ１２Ｌ及びセンサ１２Ｒは、運転者の手がステアリングホイール１０１に接触したことを検出することが可能な任意の種類のセンサにより構成される。例えば、センサ１２Ｌ及びセンサ１２Ｒは、近接センサ、電極を用いたタッチセンサ、ステアリングホイール１０１を握ったときの圧力を検出する圧力センサ等である。ここで、センサ１２Ｌに用いられる電極などの接触子は、１つである必要はない。例えば、図２の斜線部への手の接触を検出するために、複数の接触子を用いてもよいし、センサ自体を複数配置してもよい。センサ１２Ｒも同様である。運転者の手が検出できるように構成されていれば、いかなる態様でもよい。
【００４２】
認証部３２は、認証情報を有する携帯機１３と無線通信を行い、携帯機１３の認証を行い、認証結果を制御部３６に供給する。
【００４３】
なお、携帯機１３は、例えば、車両制御装置１１が設けられている車両用のキーフォブ等であり、車両のドアの施錠及び開錠の遠隔操作や、車両の原動機の始動や電源の供給を許可するための認証に用いられる。また、携帯機１３と認証部３２との間の通信方式には、任意の方式を採用することができる。例えば、LF帯やUHF帯の無線通信や、Bluetooth（登録商標）等の近距離無線通信が採用される。
【００４４】
ブレーキ操作検出部３３は、ブレーキペダル１４に設けられているスイッチやセンサからの信号に基づいて、図示せぬ車両のブレーキの操作、より具体的には、ブレーキペダル１４の踏み込みを検出し、検出結果を制御部３６に供給する。
【００４５】
シフトポジション検出部３４は、シフト操作部１５からの信号に基づいて、車両のシフトポジションを検出し、検出結果を制御部３６に供給する。
【００４６】
なお、シフト操作部１５は、例えば、車両のシフトポジションを切り替えるためのレバーやスイッチ等により構成される。
【００４７】
電源・駆動操作検出部３５は、電源・駆動操作部１６から供給される信号に基づいて、電源・駆動操作部１６の操作を検出し、検出結果を制御部３６に供給する。
【００４８】
なお、電源・駆動操作部１６は、例えば、車両の電源の状態の切替えや、原動機の始動及び停止等の操作に用いるイグニッションスイッチであり、押しボタン式や回転式などの方式がある。また、機械式の鍵を挿入して操作する方式の場合もある。
【００４９】
制御部３６は、車両制御装置１１全体の制御を行う。また、制御部３６は、車両制御装置１１の各部からの情報に基づいて、車両の電源の供給及び原動機の駆動の制御を行う。例えば、制御部３６は、車両の電源又はその制御部に所定の指令信号を供給することにより、車両の電源モードの切り替えを制御する。また、例えば、制御部３６は、車両の原動機又はその制御部に所定の指令信号を供給することにより、原動機の始動及び停止等を制御する。
【００５０】
［車両始動制御処理の第１の実施の形態］
次に、図３のフローチャート、並びに、図４及び図５の状態遷移図を参照して、車両制御装置１１により実行される車両始動制御処理の第１の実施の形態について説明する。
【００５１】
なお、図４の状態遷移図は、電源・駆動操作部１６がプッシュスイッチにより構成される場合の車両の状態遷移図を示している。一方、図５の状態遷移図は、電源・駆動操作部１６がノブスイッチにより構成される場合の車両の状態遷移図を示している。
【００５２】
また、以下、車両の電源モードが、ＯＦＦ、アクセサリ、ＯＮの３種類のモードを有する場合について説明する。
【００５３】
電源モードがＯＦＦに設定されている場合、車両の負荷（すなわち、電装品）は、常時給電が行われるものを除いて使用できない。また、車両の原動機を始動することができず、車両は走行できない。なお、電源・駆動操作部１６がノブスイッチにより構成される場合、例えば、ノブスイッチはＯＦＦの位置に設定される。
【００５４】
電源モードがアクセサリモードに設定されている場合、車両の一部の負荷（例えば、アクセサリソケット等の電装品）に電源が供給され、使用可能になる。また、車両の原動機を始動することができず、車両は走行できない。なお、電源・駆動操作部１６がノブスイッチにより構成される場合、例えば、ノブスイッチはＡＣＣ（アクセサリ）の位置に設定される。
【００５５】
電源モードがＯＮモードに設定されている場合、車両の所定の負荷（例えば、全ての電装品）に電源が供給され、使用可能になる。また、車両の原動機を始動することができ、車両の走行が可能になる。なお、電源・駆動操作部１６がノブスイッチにより構成される場合、例えば、ノブスイッチはＯＮの位置に設定される。
【００５６】
なお、この処理は、例えば、車両が図４及び図５に示される初期状態、すなわち、車両の電源モードがＯＦＦ、かつ、原動機が停止している状態のときに、所定の間隔で実行される。
【００５７】
ステップＳ１において、制御部３６は、接触検出部３１からの検出結果に基づいて、ステアリングホイール１０１への接触が検出されたか否かを判定する。制御部３６は、センサ１２Ｌ及びセンサ１２Ｒのうち少なくとも一方で物体の接触が検出されている場合、ステアリングホイール１０１への接触が検出されたと判定し、処理はステップＳ２に進む。すなわち、ステアリングホイール１０１の少なくとも1ヶ所で接触が検出された場合、その位置及び数に関わらず、処理はステップＳ２に進む。
【００５８】
ステップＳ２において、認証部３２は、携帯機１３の認証を試みる。具体的には、制御部３６は、認証部３２に携帯機１３の認証の実行を指令する。認証部３２は、例えば、ポーリング信号等の送信を開始し、携帯機１３との通信を試みる。認証部３２は、携帯機１３からポーリング信号に対する応答信号を受信したとき、所定の手順で携帯機１３との間で認証処理を行い、認証結果を制御部３６に通知する。
【００５９】
ここで、認証処理は、例えば、以下のような公知の処理を行う。認証部３２から携帯機１３に対して、認証情報（例えば携帯機のID番号等）の返信を要求するための応答要求信号を無線で送信する。この応答要求信号を受信した携帯機１３は、自己が記憶している認証情報を含む応答信号を認証部３２に送信する。そして、認証部３２において、応答信号に含まれた認証情報に基づいて携帯機１３の認証を行い、認証結果を得る。
【００６０】
ステップＳ３において、制御部３６は、認証部３２からの認証結果に基づいて、携帯機１３の認証に成功したか否かを判定する。携帯機１３の認証に成功したと判定された場合、処理はステップＳ４に進む。
【００６１】
ステップＳ４において、制御部３６は、接触検出部３１からの検出結果に基づいて、ステアリングホイール１０１の２ヶ所に手が規定時間以上接触しているか（始動操作が行われているか否か）を判定する。制御部３６は、携帯機１３の認証が成功してから所定の時間が経過するまでの間に、センサ１２Ｌ及びセンサ１２Ｒの両方で同時に物体（運転者の手）の接触が規定時間以上継続して検出された場合、始動操作が行われていると判定し、処理はステップＳ５に進む。
【００６２】
ここで、センサ１２Ｌ及びセンサ１２Ｒの両方で物体の接触が規定時間以上継続して検出されている状態とは、例えば、運転者がステアリングホイール１０１のリング部の左右を握った状態が継続している状態であると想定される。これは、運転者が運転開始時に通常行う自然な動作（自然な姿勢）である。
【００６３】
ステップＳ５において、制御部３６は、ブレーキ操作検出部３３からの検出結果に基づいて、ブレーキペダル１４が踏み込まれているか否かを判定する。制御部３６は、始動操作が行われてから所定の時間が経過するまでの間に、ブレーキペダル１４の踏み込みが検出された場合、ブレーキペダル１４が踏み込まれていると判定し、処理はステップＳ６に進む。すなわち、携帯機１３の認証が成功し、始動操作が行われ、ブレーキペダル１４が踏み込まれている場合、処理はステップＳ６に進む。
【００６４】
ステップＳ６において、制御部３６は、電源供給制御及び始動制御を行う。具体的には、制御部３６は、電源モードをＯＮモードに設定するための指令信号を、図示せぬ車両の電源又はその制御部に供給する。これにより、車両の電源モードがＯＮモードに設定される。また、制御部３６は、原動機を始動するための指令信号を、図示せぬ車両の原動機又はその制御部に供給する。これにより、車両の原動機が始動し、走行可能な状態になる。その結果、図４及び図５に示されるように、車両が初期状態から駆動状態に遷移する。また、電源・駆動操作部１６がノブスイッチにより構成される場合、ノブスイッチの位置がＯＦＦからＯＮに自動的に移動する。
【００６５】
その後、車両始動制御処理は終了する。
【００６６】
一方、ステップＳ５において、制御部３６は、始動操作が行われてから所定の時間が経過するまでの間に、ブレーキペダル１４の踏み込みが検出されない場合、ブレーキペダル１４が踏み込まれていないと判定し、処理はステップＳ７に進む。
【００６７】
ステップＳ７において、制御部３６は、電源供給制御を行う。具体的には、制御部３６は、電源モードをアクセサリモードに設定するための指令信号を、図示せぬ車両の電源又はその制御部に供給する。これにより、車両の電源モードがアクセサリモードに設定される。その結果、図４及び図５に示されるように、車両が初期状態から中間状態に遷移する。また、電源・駆動操作部１６がノブスイッチにより構成される場合、ノブスイッチの位置がＯＦＦからＡＣＣに自動的に移動する。
【００６８】
なお、このとき、電源モードをアクセサリモードではなくＯＮモードに設定するようにしてもよい。
【００６９】
ステップＳ８において、制御部３６は、接触検出部３１からの検出結果に基づいて、ステップＳ４と同様の始動操作が継続しているか否かを判定する。制御部３６は、センサ１２Ｌ及びセンサ１２Ｒの両方で物体の接触が検出されている状態が継続している場合、始動操作が継続していると判定し、処理はステップＳ９に進む。
【００７０】
ステップ９において、制御部３６は、ブレーキ操作検出部３３からの検出結果に基づいて、ブレーキペダル１４が踏み込まれたか否かを判定する。ブレーキペダル１４が踏み込まれていないと判定された場合、処理はステップＳ８に戻る。
【００７１】
その後、ステップＳ８において、始動操作が停止したと判定されるか、ステップＳ９において、ブレーキペダル１４が踏み込まれたと判定されるまで、ステップＳ８及びＳ９の処理が繰り返し実行される。
【００７２】
一方、ステップＳ９において、ブレーキペダル１４が踏み込まれたと判定された場合、処理はステップＳ１０に進む。
【００７３】
ステップＳ１０において、ステップＳ２の処理と同様に、携帯機１３の認証が試みられる。
【００７４】
ステップＳ１１において、ステップＳ３の処理と同様に、携帯機１３の認証が成功したか否かが判定される。携帯機１３の認証が成功したと判定された場合、処理はステップＳ１２に進む。
【００７５】
ステップＳ１２において、ステップＳ６の処理と同様に、電源供給制御及び駆動制御が行われる。これにより、図４及び図５に示されるように、車両が中間状態から駆動状態に遷移する。また、電源・駆動操作部１６がノブスイッチにより構成される場合、ノブスイッチの位置がＡＣＣからＯＮに自動的に移動する。
【００７６】
なお、ステップＳ７の処理で電源モードがＯＮモードに設定されている場合、ステップＳ１２において、電源供給制御を省略することが可能である。
【００７７】
その後、車両始動制御処理は終了する。
【００７８】
一方、ステップＳ１１において、携帯機１３の認証が失敗したと判定された場合、車両が中間状態のまま、車両始動制御処理は終了する。
【００７９】
また、ステップＳ８において、制御部３６は、センサ１２Ｌ及びセンサ１２Ｒのうち少なくとも一方で物体の接触の検出が停止した場合、始動操作が停止したと判定する。その後、車両が中間状態のまま、車両始動制御処理は終了する。
【００８０】
さらに、ステップＳ４において、制御部３６は、携帯機１３の認証が成功してから所定の時間が経過するまでの間に、センサ１２Ｌ及びセンサ１２Ｒの少なくとも一方で物体の接触が規定時間以上継続して検出されなかった場合、始動操作が行われていないと判定する。その後、車両が初期状態のまま、車両始動制御処理は終了する。
【００８１】
また、ステップＳ３において、携帯機１３の認証が失敗したと判定された場合、車両が初期状態のまま、車両始動制御処理は終了する。
【００８２】
さらに、ステップＳ１において、ステアリングホイール１０１への接触が検出されていないと判定された場合、車両が初期状態のまま、車両始動制御処理は終了する。
【００８３】
以上のようにして、正規の携帯機１３を所持する運転者が、ステアリングホイール１０１を両手で規定時間以上握り、ブレーキペダル１４を踏み込むという運転開始時の自然な動作を行うだけで、他に特別な操作をせずに、車両を始動することができる。また、上記の一連の動作を行わないと車両が始動しないため、誤操作により意図せずに車両が始動することを防止でき、安全性を確保することができる。さらに、携帯機１３の認証が成功しないと、車両が始動しないため、車両の盗難等を防止することができる。
【００８４】
なお、図４の例の場合、駆動状態において、車速０（ゼロ）かつシフトポジションがパーキング（Ｐ）に設定されている場合に、電源・駆動操作部１６を構成するプッシュスイッチが操作されると、車両が初期状態に遷移する。また、駆動状態において、車速０かつシフトポジションがパーキング（Ｐ）以外に設定されている場合に、電源・駆動操作部１６を構成するプッシュスイッチが操作されると、車両が中間状態に遷移する。さらに、中間状態において、車速０かつシフトポジションがパーキング（Ｐ）に設定されている場合に、電源・駆動操作部１６を構成するプッシュスイッチが長押しされると、車両が初期状態に遷移する。
【００８５】
また、図５の例の場合、駆動状態において、車速０かつシフトポジションがパーキング（Ｐ）に設定されている場合に、電源・駆動操作部１６を構成するスイッチノブがＡＣＣの位置まで回転操作されると、車両が中間状態に遷移する。さらに、中間状態において、車速０かつシフトポジションがパーキング（Ｐ）に設定されている場合に、電源・駆動操作部１６を構成するスイッチノブがＯＦＦの位置まで回転操作されると、車両が初期状態に遷移する。
【００８６】
さらに、図４及び図５のいずれの場合も、従来通りプッシュスイッチ又はノブスイッチを操作することにより、車両を始動したり、電源の供給を開始したりすることが可能である。
【００８７】
［車両始動制御処理の第２の実施の形態］
次に、図６のフローチャートを参照して、車両制御装置１１により実行される車両始動制御処理の第２の実施の形態について説明する。
【００８８】
なお、この処理は、例えば、車両が初期状態のときに、所定の間隔で実行される。
【００８９】
ステップＳ５１において、図３のステップＳ９の処理と同様に、ブレーキペダル１４が踏み込まれたか否かが判定される。ブレーキペダル１４が踏み込まれたと判定された場合、処理はステップＳ５２に進む。
【００９０】
ステップＳ５２において、図３のステップ２の処理と同様に、携帯機１３との認証が試みられる。
【００９１】
ステップＳ５３において、図３のステップＳ３の処理と同様に、携帯機１３の認証が成功したか否かが判定される。携帯機１３の認証が成功したと判定された場合、処理はステップＳ５４に進む。
【００９２】
ステップＳ５４において、制御部３６は、ブレーキ操作検出部３３からの検出結果に基づいて、ブレーキペダル１４の踏み込みが継続しているか否かを判定する。ブレーキペダル１４の踏み込みが継続していると判定された場合、処理はステップＳ５５に進む。
【００９３】
ステップＳ５５において、制御部３６は、接触検出部３１からの検出結果に基づいて、ステアリングホイール１０１の２ヶ所に手が規定時間以上接触したか（始動操作が行われたか）否かを判定する。制御部３６は、センサ１２Ｌ及びセンサ１２Ｒの少なくとも一方で物体の接触が規定時間以上継続して検出されていない場合、始動操作が行われていないと判定し、処理はステップＳ５４に戻る。
【００９４】
その後、ステップＳ５４において、ブレーキペダル１４の踏み込みが停止したと判定されるか、ステップＳ５５において、始動操作が行われたと判定されるまで、ステップＳ５４及びＳ５５の処理が繰り返し実行される。
【００９５】
一方、ステップＳ５５において、制御部３６は、センサ１２Ｌ及びセンサ１２Ｒの両方で同時に物体の接触が規定時間以上継続して検出された場合、始動操作が行われたと判定し、処理はステップＳ５６に進む。
【００９６】
ステップＳ５６において、図３のステップＳ６の処理と同様に、電源供給制御及び始動制御が行われ、車両が初期状態から駆動状態に遷移する。
【００９７】
その後、車両始動制御処理は終了する。
【００９８】
一方、ステップＳ５４において、ブレーキペダル１４の踏み込みが停止したと判定された場合、車両が初期状態のまま、車両始動制御処理は終了する。
【００９９】
また、ステップＳ５１において、ブレーキペダル１４の踏み込みが検出されていないと判定された場合、又は、ステップＳ５３において、携帯機１３の認証が失敗したと判定された場合、車両が初期状態のまま、車両始動制御処理は終了する。
【０１００】
以上のようにして、正規の携帯機１３を所持する運転者が、ブレーキペダル１４を踏み込んだ後、ステアリングホイール１０１を両手で握るという運転開始時の自然な動作を行うだけで、他に特別な操作をせずに、車両を始動することができる。また、上記の一連の動作を行わないと車両が始動しないため、誤操作により意図せずに車両が始動することを防止でき、安全性を確保することができる。さらに、携帯機１３の認証が成功しないと、車両が始動しないため、車両の盗難等を防止することができる。
【０１０１】
なお、ステップＳ５５において、始動操作が行われていないと判定された場合、その都度、ステップＳ５２に戻り、認証処理を行うようにしてもよい。また、ステップＳ５３において、携帯機１３の認証が成功した後、ステップＳ５４とステップＳ５５の判定処理が繰り返されている間に、所定の間隔で認証処理を行うようにしてもよい。
【０１０２】
［車両始動制御処理の第３の実施の形態］
次に、図７のフローチャートを参照して、車両制御装置１１により実行される車両始動制御処理の第３の実施の形態について説明する。
【０１０３】
なお、この処理は、例えば、車両が初期状態のときに、所定の間隔で実行される。
【０１０４】
ステップＳ１０１において、図６のステップＳ５５の処理と同様に、ステアリングホイール１０１の２ヶ所に手が規定時間以上接触したか（始動操作が行われたか）否かが判定される。始動操作が行われたと判定された場合、処理はステップＳ１０２に進む。
【０１０５】
ステップＳ１０２において、図３のステップＳ２の処理と同様に、携帯機１３との認証が試みられる。
【０１０６】
ステップＳ１０３において、図３のステップＳ３の処理と同様に、携帯機１３の認証が成功したか否かが判定される。携帯機１３の認証が成功したと判定された場合、処理はステップＳ１０４に進む。
【０１０７】
ステップＳ１０４において、制御部３６は、ブレーキ操作検出部３３からの検出結果に基づいて、ブレーキペダル１４が踏み込まれているか否かを判定する。制御部３６は、携帯機１３の認証が成功してから所定の時間が経過するまでの間に、ブレーキペダル１４の踏み込みが検出された場合、ブレーキペダル１４が踏み込まれていると判定し、処理はステップＳ１０５に進む。
【０１０８】
ステップＳ１０５において、図３のステップＳ６の処理と同様に、電源供給制御及び始動制御が行われ、車両が初期状態から駆動状態に遷移する。
【０１０９】
その後、車両始動制御処理は終了する。
【０１１０】
一方、ステップＳ１０４において、ブレーキペダル１４が踏み込まれていないと判定された場合、処理はステップＳ１０６に進む。
【０１１１】
その後、ステップＳ１０６乃至Ｓ１１１において、図３のステップＳ７乃至Ｓ１２と同様の処理が実行され、車両始動制御処理は終了する。
【０１１２】
一方、ステップＳ１０１において、始動操作が行われていないと判定された場合、又は、ステップＳ１０３において、携帯機１３の認証が失敗したと判定された場合、車両が初期状態のまま、車両始動制御処理は終了する。
【０１１３】
以上のようにして、正規の携帯機１３を所持する運転者が、ステアリングホイール１０１を両手で握った後、ブレーキペダル１４を踏み込むという運転開始時の自然な動作を行うだけで、他に特別な操作をせずに、車両を始動することができる。また、上記の一連の動作を行わないと車両が始動しないため、誤操作により意図せずに車両が始動することを防止でき、安全性を確保することができる。さらに、携帯機１３の認証が成功しないと、車両が始動しないため、車両の盗難等を防止することができる。
【０１１４】
［車両始動制御処理の第４の実施の形態］
次に、図８のフローチャートを参照して、車両制御装置１１により実行される車両始動制御処理の第４の実施の形態について説明する。
【０１１５】
なお、この処理は、例えば、車両が初期状態のときに、所定の間隔で実行される。
【０１１６】
ステップＳ１５１において、図６のステップＳ５５の処理と同様に、ステアリングホイール１０１の２ヶ所に手が規定時間以上接触したか（始動操作が行われたか）否かが判定される。始動操作が行われたと判定された場合、処理はステップＳ１５２に進む。
【０１１７】
ステップＳ１５２において、図３のステップＳ５の処理と同様に、ブレーキペダル１４が踏み込まれているか否かが判定される。ブレーキペダル１４が踏み込まれていると判定された場合、処理はステップＳ１５３に進む。
【０１１８】
ステップＳ１５３において、図３のステップＳ２の処理と同様に、携帯機１３の認証が試みられる。
【０１１９】
ステップＳ１５４において、図３のステップＳ３の処理と同様に、携帯機１３の認証が成功したか否かが判定される。
【０１２０】
ステップＳ１５５において、図３のステップＳ６の処理と同様に、電源駆動制御及び始動制御が行われ、車両が初期状態から駆動状態に遷移する。
【０１２１】
その後、車両始動制御処理は終了する。
【０１２２】
一方、ステップＳ１５１において、始動操作が行われていないと判定された場合、ステップＳ１５２において、ブレーキペダル１４が踏み込まれていないと判定された場合、又は、ステップＳ１５４において、携帯機１３の認証が失敗したと判定された場合、車両が初期状態のまま、車両始動制御処理は終了する。
【０１２３】
以上のようにして、正規の携帯機１３を所持する運転者が、ステアリングホイール１０１を両手で握り、ブレーキペダル１４を踏み込むという運転開始時の自然な動作を行うだけで、他に特別な操作をせずに、車両を始動することができる。また、上記の一連の動作を行わないと車両が始動しないため、誤操作により意図せずに車両が始動することを防止でき、安全性を確保することができる。さらに、携帯機１３の認証が成功しないと、車両が始動しないため、車両の盗難等を防止することができる。
【０１２４】
＜２．変形例＞
以下、上述した本発明の実施の形態の変形例について説明する。
【０１２５】
例えば、センサ１２Ｌ及びセンサ１２Ｒのいずれか一方が故障した場合、上述した始動操作を検出できなくなる。これに対して、例えば、センサ１２Ｌ及びセンサ１２Ｒのいずれか一方のみが物体の接触を規定時間以上継続して検出している場合、すなわち、ステアリングホイール１０１の１ヶ所への接触が規定時間以上検出された場合、一方のセンサが故障していると判定するようにしてもよい。なお、この規定時間は、例えば、始動操作の判定に用いる規定時間以上の値に設定される。
【０１２６】
そして、一方のセンサが故障していると判定された場合、例えば、電源・駆動操作部１６を手動で操作して車両を始動するように促すようにしてもよい。例えば、制御部３６が、電源・駆動操作部１６又はその近傍に設けられているLED等を点滅させたり、インストルメントパネルに手動操作を促す表示を行うように制御したりすることが考えられる。
【０１２７】
また、センサ１２Ｌ，１２Ｒが電力を必要とするセンサにより構成される場合、運転者がステアリングホイール１０１に触れる前に、センサ１２Ｌ，１２Ｒに電力を供給する必要がある。この場合、消費電力を軽減するために、例えば、車両に人が乗り込んだことを検出したとき（例えば、車両のドアが閉まったことを検出したとき等）に、センサ１２Ｌ，１２Ｒへの電力の供給を開始するようにしてもよい。
【０１２８】
さらに、携帯機１３の認証を上述した以外のタイミングで行うようにすることが可能である。例えば、車両に人が乗り込んだことを検出したとき（例えば、車両のドアが閉まったことを検出したとき等）に、事前に携帯機１３の認証を行うようにしてもよい。
【０１２９】
また、図３及び図７の車両始動制御処理においては、中間状態から駆動状態に遷移するときに、携帯機１３の再認証を行うようにしているが、この再認証を省略するようにすることも可能である。
【０１３０】
さらに、以上では、車両始動制御処理を行うときのシフトポジションについては特に規定しなかったが、例えば、シフトポジションが所定のポジション（例えば、パーキング）に設定されている場合にのみ、上述した車両始動制御処理を行うようにしてもよい。
【０１３１】
また、ステアリングホイール１０１のセンサの設置位置は、運転者が両手でステアリングホイール１０１を握ったことを検出できれば、図２の例に限定されるものではない。例えば、センサを３ヶ所以上に設置するようにしてもよい。或いは、例えば、ステアリングホイール１０１のリング部全体に接触位置を検出可能な１つのセンサを設けて、具体的な接触位置を示すセンサデータを接触検出部３１に供給するようにしてもよい。また、センサの設置位置や運転者の手の位置によっては、運転者が両手でステアリングホイール１０１を握った場合に、３ヶ所以上でステアリングホイール１０１への接触が検出されることも想定される。
【０１３２】
さらに、以上では、主に車両が乗用車、バス、トラック等の自動車である場合を想定して車両始動制御処理の説明をしたが、車両がモータバイク等の原動機付きの二輪車や三輪車等の場合にも、本発明を適用することが可能である。この場合、例えば、ステアリングホイール１０１の代わりに、操舵部である左右のハンドルバー（グリップ）にセンサ１２Ｌ，１２Ｒがそれぞれ設けられる。また、例えば、ブレーキの操作として、ブレーキペダル１４の代わりに、ブレーキレバーやフットブレーキ等の操作が検出される。
【０１３３】
また、例えば、電池切れ等により携帯機１３の認証が行えなくなった場合、例えば、従来のコイル付きのプッシュスイッチを用いて、コイルによる電力供給とプッシュ操作により原動機を始動するようにすることが可能である。
【０１３４】
［コンピュータの構成例］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータなどが含まれる。
【０１３５】
また、コンピュータが実行するプログラムは、例えば、パッケージメディア等としてのリムーバブルメディアに記録して提供することができる。また、プログラムは、ローカルエリアネットワーク、CAN、インターネット、デジタル衛星放送といった、有線又は無線の伝送媒体を介して提供することができる。
【０１３６】
その他、プログラムは、例えば、ROMや記憶部に、あらかじめインストールしておくことができる。
【０１３７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１３８】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１３９】
さらに、本発明の実施の形態は、上述した実施の形態に限定されるものではなく、本発明の要旨を逸脱しない範囲において種々の変更が可能である。
【０１４０】
また、上述のフローチャートで説明した各ステップは、１つの装置で実行する他、複数の装置で分担して実行することができる。
【０１４１】
さらに、１つのステップに複数の処理が含まれる場合には、その１つのステップに含まれる複数の処理は、１つの装置で実行する他、複数の装置で分担して実行することができる。
【符号の説明】
【０１４２】
１１  車両制御装置
１２Ｌ，１２Ｒ  センサ
１３  携帯機
１４  ブレーキペダル
１５  シフト操作部
１６  電源・駆動操作部
３１  接触検出部
３２  認証部
３３  ブレーキ操作検出部
３４  シフトポジション検出部
３５  電源・駆動操作検出部
３６  制御部
【図１】
0005988929.tif 000002
【図２】
0005988929.tif 000003
【図３】
0005988929.tif 000004
【図４】
0005988929.tif 000005
【図５】
0005988929.tif 000006
【図６】
0005988929.tif 000007
【図７】
0005988929.tif 000008
【図８】
0005988929.tif 000009